(57)【特許請求の範囲】
【請求項１】
基準サイズより小さい基準外サイズの入力伝票を、基準サイズより大きい所定サイズのシートの所定位置に貼着して、機械処理するための入力伝票貼着用シートであって、前記シートの一面側に、入力伝票貼着部と機械読み取り用の入力情報転記部とを設け、前記入力伝票貼着部には、入力伝票貼着用の粘着剤をあらかじめ塗布して、剥離後にメモ用紙として使用可能に構成した剥離紙で被覆してなるとともに、入力伝票貼着時に貼着位置合わせを行うための入力伝票の二縁に対応する位置合わせガイドを印刷したことを特徴とする入力伝票貼着用シート。
【発明の詳細な説明】
【０００１】
【発明の属する技術分野】
本発明は、基準サイズより小さい基準外サイズの入力伝票を、基準サイズに変わる統一したサイズの入力伝票として取り扱うことができる入力伝票貼着用シートに関する。なお、本明細書で基準サイズの入力伝票とは、機械処理に際して基準となる入力伝票のことをいう。この基準サイズの入力伝票は、入力伝票を取り扱う各金融機関等で独自に決定される相対的なものであり、各金融機関等に共通する絶対的なものではない。また、基準サイズに変わる統一したサイズである入力伝票貼着用シートのサイズも、入力伝票の基準サイズに基づいて取り扱う各金融機関等で独自に決定される。
【０００２】
【従来の技術】
従来、サイズが一定しない不揃いの基準外サイズの入力伝票、例えば、基準サイズより小さい基準外サイズの振込依頼書が金融機関の窓口に持ち込まれた場合には、係員は、別途用意した基準サイズより大きい所定サイズの台紙に糊を塗布して基準外サイズの振込依頼書を貼付したり、あるいは別途用意した基準サイズより大きい所定サイズの透明フィルムからなるファイルに基準外サイズの振込依頼書を挟み込んで、当該金融機関の集中処理センターにイメージ電送し、前記集中処理センターで前記振込依頼書の記載事項の追加入力や修正読み込み等の処理をしているのが一般的である。
【０００３】
【発明が解決しようとする課題】
しかしながら、これら従来の別途用意した基準サイズより大きい所定サイズの台紙に糊を塗布して基準外サイズの振込依頼書を貼付したり、あるいは別途用意した基準サイズより大きい所定サイズの透明ファイルに基準外サイズの振込依頼書を挟み込む作業は、窓口の係員にとって煩雑である。
【０００４】
また、基準サイズより大きい所定サイズの台紙に糊を塗布して基準外サイズの振込依頼書を貼付する場合に、急いで糊を塗布する等により振込依頼書から糊がはみだしてしまうことがあり、この場合には機械処理、例えばイメージ電送作業中に、はみ出した糊が機械を汚してしまうことがある。さらに、糊を人手で、しかも急いで、均一に塗布することは困難であり、塗布面は凹凸状になるので、振込依頼書の表面も凹凸状になり、機械読み取りの際の移送動作に支障をきたすとともに、確実な読み取り動作が阻害されてしまう。
【０００５】
一方、基準サイズより大きい所定サイズの透明ファイルに基準外サイズの振込依頼書を挟み込む場合には、使用頻度に応じた透明ファイルの汚れや損傷により、機械読み取り作業に支障をきたすことがある。
【０００６】
本発明は、このような従来の不都合を解消した入力伝票貼着用シートを提供することを目的とする。
【０００７】
【課題を解決するための手段】
この目的を達成するために、本発明の請求項１に記載した入力伝票貼着用シートは、基準サイズより小さい基準外サイズの入力伝票を、基準サイズより大きい所定サイズのシートの所定位置に貼着して、機械処理するための入力伝票貼着用シートであって、前記シートの一面側に、入力伝票貼着部と機械読み取り用の入力情報転記部とを設け、前記入力伝票貼着部には、入力伝票貼着用の粘着剤をあらかじめ塗布して、剥離後にメモ用紙として使用可能に構成した剥離紙で被覆してなるとともに、入力伝票貼着時に貼着位置合わせを行うための入力伝票の二側縁に対応する位置合わせガイドを印刷したことを特徴とする。
【０００８】
【発明の実施形態】
以下、本発明の好適な実施形態を添付図面に基づいて説明する。ここにおいて、図１〜図４は入力伝票貼着用シートの第１の実施形態を示し、図１は入力伝票貼着用シートの概略的な斜視図、図２は図１のＡ−Ａ線断面図、図３は剥離紙を剥離した状態の入力伝票貼着用シートを示す概略的な斜視図、図４は基準外サイズの入力伝票を貼着した状態を示す概略的な斜視図である。また、図５及び図６は第２の実施形態を示し、図５は入力伝票貼着用シートの概略的な斜視図、図６は図５のＢ−Ｂ線断面図である。
【０００９】
まず、図１〜図４に基づいて、入力伝票貼着用シートの第１の実施形態を説明する。図１及び図３に示すように、入力伝票貼着用シート１は、基準サイズに基づいて設定した基準サイズより大きな所定サイズであり、その表面には、入力伝票貼着位置を伝票の隣接する二縁を位置決めする点線で示す位置合わせガイド２と、入力情報を転記する機械読み取り用の入力情報転記部３とを設けている。そして、この入力情報転記部３よりも下の部分が入力伝票貼着部を構成する。前記位置合わせガイド２は通常のインキまたはいわゆるノンリードインキで印刷する一方、前記入力情報転記部３は、ＯＣＲ読み取りするために、いわゆるノンリードインキで印刷している。
【００１０】
また、図２及び図３に示すように、入力伝票貼着用シート１の表面には、位置合わせガイド２の角部に対応して、入力伝票貼着用の粘着剤４を公知の糊塗布装置を用いてあらかじめ塗布し、この塗布した粘着剤４を、裏面の一部に剥離剤５を塗布してなる剥離紙６で被覆している。この剥離紙６は、剥離後にはメモ用紙として使用可能なものであり、表面には、所定事項を記入するための記入欄をあらかじめ印刷している。
【００１１】
本実施形態では、剥離紙６は、入力伝票貼着用シート１と天地方向が同一サイズで、幅方向は短いサイズからなるが、このサイズに限定されず、粘着剤４を被覆できる大きさであれば、いかなるサイズでもよい。
【００１２】
本実施形態は以上のように構成したので、基準サイズより小さい基準外サイズの入力伝票、例えば、基準サイズより小さい振込依頼書７を使用するには、図３に示すように、入力伝票貼着用シート１から剥離紙６を剥離して粘着剤４を露出した後、図４に示すように、所定事項を記入した振込依頼書７を、位置合わせガイド２に合わせて位置決めして、前記粘着剤４によって貼着すればよい。そして、入力情報転記部３に、振込依頼書７に記入された入力情報から必要な情報を転記したうえ、ＯＣＲ読み取りをするとともに、集中処理センターに入力情報をイメージ電送して処理する。
【００１３】
次に、図５及び図６に基づいて、入力伝票貼着用シートの他の実施形態を説明する。本実施形態の入力伝票貼着用シート１１は、基本的な構成は上述した入力伝票貼着用シート１と同一であり、基準サイズに基づいて設定した基準サイズより大きな所定サイズで、表面に、位置合わせガイド２と同一の位置合わせガイド（図示せず）と、入力情報転記部３と同一の入力情報転記部（図示せず）とを印刷するとともに、位置合わせガイドの角部に対応して、入力伝票貼着用の粘着剤１４を公知の糊塗布装置を用いてあらかじめ塗布している。
【００１４】
図示してはいないが、入力情報転記部よりも下の部分で入力伝票貼着部を構成する。入力伝票貼着用シート１１が、上述の入力伝票貼着用シート１と構成が異なるのは、その裏面に、粘着剤１４塗布部分に対応して剥離剤１９を塗布している点である。
【００１５】
そして、各入力伝票貼着用シート１１の粘着剤１４と剥離剤１９とを対応位置させて剥離可能に複数枚重ね合わせ、最上位の入力伝票貼着用シート１１に塗布した粘着剤１４を、裏面の一部に剥離剤１５を塗布してなる剥離紙１６で被覆し、入力伝票貼着用シート１１の組を形成している。前記剥離紙１６は、前記入力伝票貼着用シート１１と同一サイズで、剥離後にはメモ用紙として使用可能なものであり、表面には、所定事項を記入するための記入欄をあらかじめ印刷している。
【００１６】
本実施形態は以上のように構成したので、基準サイズより小さい基準外サイズの入力伝票、例えば、基準サイズより小さい振込依頼書を使用するには、最下位にある入力伝票貼着用シート１１から一枚ずつ剥離して粘着剤１４を露出した後（図３参照）、所定事項を記入した振込依頼書を、位置合わせガイドに合わせて位置決めして、前記粘着剤１４によって貼着すればよい（図４参照）。そして、上述した第１の実施形態と同様に、入力情報転記部に、振込依頼書に記入された入力情報から必要な情報を転記したうえ、ＯＣＲ読み取りをするとともに、集中処理センターに入力情報をイメージ電送して処理する。
【００１７】
この第２の実施形態によれば、複数の入力伝票貼着用シートを重ね合わせてなるので、保管が容易であるほか、多数の基準サイズの入力伝票を連続して処理する場合に作業効率がよいという効果を奏する。
【００１８】
なお、本発明は上述した各実施形態に限られるものではなく、例えば、位置合わせガイド２は、点線による表示に限らない。また、使用対象となる入力伝票は振込依頼書７に限らない。さらにまた、機械読み取りはＯＣＲに限らない。
【００１９】
【発明の効果】
このようにして、本願の請求項１の発明である入力伝票貼着用シートによれば、台紙に糊を塗布したり、透明ファイルに基準サイズより小さい基準外サイズの入力伝票を挟み込むという煩雑さがなく、作業が簡便になるほか、機械読み取り等の入力処理中にはみ出した糊が機械を汚したり、透明ファイルの汚れや損傷により、機械読み取り作業に支障をきたすことがなく、さらには、あらかじめ塗布された粘着剤塗布面は均一平坦化しているので、機械読み取りの際の移送動作が円滑になされ、確実な読み取り動作ができ、また、剥離紙は、剥離後にメモ用紙として使用可能なので無駄がないうえ、入力情報転記部に入力伝票の入力情報を記入して、この入力情報を機械読み取りできるという効果を奏する。
【図面の簡単な説明】
【図１】  第１の実施形態である入力伝票貼着用シートの概略的な斜視図。
【図２】  同じく、図１のＡ−Ａ線断面図。
【図３】  同じく、剥離紙を剥離した入力伝票貼着用シートを示す概略的な斜視図。
【図４】  同じく、基準外サイズの入力伝票を貼着した入力伝票貼着用シートを示す概略的な斜視図。
【図５】  第２の実施形態である入力伝票貼着用シートの組の概略的な斜視図。
【図６】  同じく、図５のＢ−Ｂ線断面図。
【符号の説明】
１，１１      入力伝票貼着用シート
２      位置合わせガイド
３      入力情報転記部
４，１４      粘着剤
５，１５，１９      剥離剤
６，１６      剥離紙
７      振込依頼書
【図１】
0003688117.tif 000002
【図２】
0003688117.tif 000003
【図３】
0003688117.tif 000004
【図４】
0003688117.tif 000005
【図５】
0003688117.tif 000006
【図６】
0003688117.tif 000007